【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】
経糸開口外の第１のレピアガイドと、経糸開口内の第２のレピアガイドとを備え、緯糸把持用のレピアヘッドを取り付けたレピアバンドを前記第１のレピアガイドによって案内し、前記レピアバンドを前記第２のレピアガイドの上で直線的に走行させて緯糸を緯入れするレピア織機における緯入れ装置において、
前記レピアヘッドに連なる前記レピアバンドの先端部に、前記先端部の直線形状を保持するための補強部として前記レピアバンドの長さ方向に見た場合の前記補強部の断面形状がＵ字形状の枠を設け、前記Ｕ字形状枠及び前記レピアヘッドの少なくとも一方の下面が直線状態にある前記レピアバンドの下面よりも下側となるようにし、前記第１のレピアガイドにおけるガイド位置の高さ位置と前記第２のレピアガイドのガイド位置の高さ位置とを異ならせ、前記レピアバンドの上下両面のうちの少なくとも上面を前記第１のレピアガイドによって案内し、前記Ｕ字形状枠の下面又は前記レピアヘッドの下面を前記第２のレピアガイドで案内し、直線状態にある前記レピアバンドにおける駆動力作用位置を少なくとも前記レピアヘッドの重心の高さ位置の付近に合わせるように前記Ｕ字形状枠と前記レピアヘッドとが一体化されるレピア織機における緯入れ装置。
【請求項２】
前記レピアバンドの上下両面を前記第１のレピアガイドによって案内した請求項１に記載のレピア織機における緯入れ装置。
【請求項３】
前記Ｕ字形状枠は、前記レピアバンドの長さ方向に見た場合の断面形状が前記レピアバンドの下面よりも下側に突出するように形成した凹枠である請求項１及び請求項２のいずれか１項に記載のレピア織機における緯入れ装置。
【請求項４】
前記Ｕ字形状枠は、前記レピアバンドと同じ材料で、同時成形される請求項１乃至請求項３のいずれか１項に記載のレピア織機における緯入れ装置。
【請求項５】
前記Ｕ字形状枠の長さは、少なくとも前記レピアヘッドのストロークの半分である請求項１乃至請求項４のいずれか１項に記載のレピア織機における緯入れ装置。
【手続補正２】
【補正対象書類名】明細書
【補正対象項目名】０００７
【補正方法】変更
【補正の内容】
【０００７】
【課題を解決するための手段】
そのために本発明は、経糸開口外の第１のレピアガイドと、経糸開口内の第２のレピアガイドとを備え、緯糸把持用のレピアヘッドを取り付けたレピアバンドを前記第１のレピアガイドによって案内し、前記レピアバンドを前記第２のレピアガイドの上で直線的に走行させて緯糸を緯入れするレピア織機における緯入れ装置を対象とし、請求項１の発明では、前記レピアヘッドに連なる前記レピアバンドの先端部に、前記先端部の直線形状を保持するための補強部として前記レピアバンドの長さ方向に見た場合の前記補強部の断面形状がＵ字形状の枠を設け、前記Ｕ字形状枠及び前記レピアヘッドの少なくとも一方の下面が直線状態にある前記レピアバンドの下面よりも下側となるようにし、前記第１のレピアガイドにおけるガイド位置の高さ位置と前記第２のレピアガイドのガイド位置の高さ位置とを異ならせ、前記レピアバンドの上下両面のうちの少なくとも上面を前記第１のレピアガイドによって案内し、前記Ｕ字形状枠の下面又は前記レピアヘッドの下面を前記第２のレピアガイドで案内し、直線状態にある前記レピアバンドにおける駆動力作用位置を少なくとも前記レピアヘッドの重心の高さ位置の付近に合わせるように前記Ｕ字形状枠と前記レピアヘッドが一体化される。
【手続補正３】
【補正対象書類名】明細書
【補正対象項目名】０００８
【補正方法】変更
【補正の内容】
【０００８】
請求項２の発明では、請求項１において、前記レピアバンドの上下両面を前記第１のレピアガイドによって案内するようにした。
請求項１及び請求項２の発明において、レピアバンドにおける駆動力作用位置をレピアヘッドの上下方向における重心位置の付近に合わせた構成は、レピアバンドに加わる駆動力をレピアバンドの直線形状に沿ってレピアヘッドの重心位置にほぼ直線的に伝える。従って、レピアヘッドの上下動が抑制される。又、補強部としてのＵ字形状枠は、レピアバンドの先端部の直線形状を保持し、レピアバンドの先端側での撓みが防止される。レピアヘッドの上下動の抑制及びレピアバンドの撓み防止は、レピアヘッドの走行安定性に寄与する。その結果、経糸開口内ではレピアヘッド又はＵ字形状枠の下面をガイドするのみで、レピアヘッドの走行が安定する。
【手続補正４】
【補正対象書類名】明細書
【補正対象項目名】０００９
【補正方法】変更
【補正の内容】
【０００９】
請求項３の発明では、請求項１及び請求項２のいずれか１項において、前記Ｕ字形状枠は、前記レピアバンドの長さ方向に見た場合の断面形状が前記レピアバンドの下面よりも下側に突出するようにＵ字形状に形成した凹枠とした。
【手続補正５】
【補正対象書類名】明細書
【補正対象項目名】００１０
【補正方法】変更
【補正の内容】
【００１０】
凹枠は、補強部として簡便である。
請求項４の発明では、請求項１乃至請求項３のいずれか１項において、前記Ｕ字形状枠は、前記レピアバンドと同じ材料で、同時成形した。
【手続補正６】
【補正対象書類名】明細書
【補正対象項目名】００１１
【補正方法】変更
【補正の内容】
【００１１】
レピアバンドに別体のＵ字形状枠を組み付ける構成に比べ、製作工程が簡素になる。
請求項５の発明では、請求項１乃至請求項４のいずれか１項において、前記Ｕ字形状枠の長さは、少なくとも前記レピアヘッドのストロークの半分とした。
【手続補正７】
【補正対象書類名】明細書
【補正対象項目名】００１２
【補正方法】変更
【補正の内容】
【００１２】
レピアヘッドの経糸開口内への挿入時の前半は、レピアヘッドの加速時であり、レピアヘッドの経糸開口内への挿入時の後半は、レピアヘッドの減速時である。レピアヘッドの経糸開口内からの退避時の前半は、レピアヘッドの加速時であり、レピアヘッドの経糸開口内からの退避時の後半は、レピアヘッドの減速時である。レピアヘッドの経糸開口内への挿入時の前半、及びレピアヘッドの経糸開口内からの退避時の後半では、レピアヘッドの浮き上がりやレピアバンドの挫屈が発生し易いが、Ｕ字形状枠の長さを少なくともレピアヘッドのストロークの半分とした構成は、レピアヘッドの浮き上がりやレピアバンドの挫屈を防止する。レピアヘッドの浮き上がりやレピアバンドの挫屈の防止は、レピアヘッドの走行安定性に大きく寄与する。
【手続補正８】
【補正対象書類名】明細書
【補正対象項目名】００４６
【補正方法】変更
【補正の内容】
【００４６】
レピアバンド１３Ａ，１３Ｂの先端部に一体形成される補強部の断面形状は、図１２（ａ），（ｂ）の第３の実施の形態の補強部３３、図１３（ａ），（ｂ）の第４の実施の形態の補強部３４、図１４（ａ），（ｂ）の第５の実施の形態の補強部３５等のように種々可能である。補強部３３，３４に対するレピアヘッド１１，１２の結合は、レピアヘッド１１，１２の下壁２３，３０の形状を補強部３３，３４の上面の形状に合わせることによって容易に達成できる。
【手続補正９】
【補正対象書類名】明細書
【補正対象項目名】００６０
【補正方法】変更
【補正の内容】
【００６０】
【発明の効果】
以上詳述したように本発明では、レピアバンドの先端部に補強部として前記レピアバンドの長さ方向に見た場合の前記補強部の断面形状がＵ字形状の枠を設け、経糸開口外の第１のレピアガイドにおけるガイド位置の高さ位置と、経糸開口内の第２のレピアガイドのガイド位置の高さ位置とを異ならせ、レピアバンドの上下両面のうちの少なくとも上面を前記第１のレピアガイドによって案内し、前記Ｕ字形状枠の下面又は前記レピアヘッドの下面を前記第２のレピアガイドで案内し、直線状態にある前記レピアバンドにおける駆動力作用位置を少なくとも前記レピアヘッドの重心の高さ位置の付近に合わせるように前記Ｕ字形状枠と前記レピアヘッドとが一体化されているので、経糸開口内においてレピアヘッドあるいはレピアバンドをその下側でのみ案内するガイドを採用する構成においても、レピアヘッドの走行安定性を向上し得るという優れた効果を奏する。